(57)【要約】 【課題】シートの側方からの操作でもスクリーンを引っ張り可能で円滑に引き出し可能になり、また、円滑に巻き取り可能になり、そして、シート上に荷物を保持する。 【解決手段】シート４０のシート・クッション４１の横方向に巻取り軸２６を位置させてそのシート・クッション４１の前部分の下面４５に取り付けられるスクリーン巻取り装置１２と、先端２７がそのシート４０の適宜の箇所に固定可能にされ、後端がそのスクリーン巻取り装置１２のその巻取り軸２６に止められ、そして、そのスクリーン巻取り装置１２に引き出し可能に巻き取られるスクリーン１３と、そのスクリーン巻取り装置１２から前に適宜に離れてそのシート・クッション４１のその前部分のその下面４５に前後方向に揺動可能に吊り下げられ、そして、そのスクリーン１３を通すループ状スクリーン・ガイド１４と、そのスクリーン１３のその先端２７に固定される巻取りストッパー兼用握り１５とを含む。 【選択図】図２
2005334311.tif 000002
【特許請求の範囲】
【請求項１】
シートのシート・クッションの横方向に巻取り軸を位置させてそのシート・クッションの前部分の下面に取り付けられるスクリーン巻取り装置と、先端がそのシートの適宜の箇所に固定可能にされ、後端がそのスクリーン巻取り装置のその巻取り軸に止められ、そして、そのスクリーン巻取り装置に引き出し可能に巻き取られるスクリーンと、そのスクリーン巻取り装置から前に適宜に離れてそのシート・クッションのその前部分のその下面に前後方向に揺動可能に吊り下げられ、そして、そのスクリーンを通すループ状スクリーン・ガイドと、そのスクリーンのその先端に固定される巻取りストッパー兼用握りとを含むシートに用いる荷物保持具。 
【請求項２】
そのスクリーン・ガイドが、細長い開口のワイヤー・ループおよび左右のハンガー・プレートで組み立てられ、そして、その左右のハンガー・プレートでそのシート・クッションのその前部分のその下面に前後方向に揺動可能に吊り下げられる請求項１に記載のシートに用いる荷物保持具。 
【発明の詳細な説明】
【技術分野】
【０００１】
この発明は、自動車がシートに大きい手荷物を乗せて走行する際に、そのシートに用いる荷物保持具に関する。 
【背景技術】
【０００２】
乗用車で買い物する場合、その買った品物は手荷物としてその乗用車に乗せて持ち帰られる。その際、その乗用車は助手席やリア・シートにその手荷物を乗せて走行するので、その走行の際にその手荷物がそのシートから転がり落ちる。それで、従来はその手荷物の保持にスクリーンが用いられた。 
そのスクリーンはそのシートのシート・クッションの下面に取り付けられる巻取り装置に引き出し可能に巻き取られるので、そのスクリーンの引出しは運転席側からあるいはドア側から操作せねばならず、そのスクリーンの引出し操作は厄介であった。特に、そのスクリーンを引き出し、引っ張る操作が難しい。 
【特許文献１】実開平２−９６３２５号公報
【発明の開示】
【発明が解決しようとする課題】
【０００３】
この発明の課題は、シートの側方からの操作でもスクリーンを引っ張り可能で円滑に引き出し可能になり、また、円滑に巻き取り可能になり、そして、シート上に荷物を保持するところのシートに用いる荷物保持具の提供にある。 
【課題を解決するための手段】
【０００４】
この発明は、シートのシート・クッションの横方向に巻取り軸を位置させてそのシート・クッションの前部分の下面に取り付けられるスクリーン巻取り装置と、先端がそのシートの適宜の箇所に固定可能にされ、後端がそのスクリーン巻取り装置のその巻取り軸に止められ、そして、そのスクリーン巻取り装置に引き出し可能に巻き取られるスクリーンと、そのスクリーン巻取り装置から前に適宜に離れてそのシート・クッションのその前部分のその下面に前後方向に揺動可能に吊り下げられ、そして、そのスクリーンを通すループ状スクリーン・ガイドと、そのスクリーンのその先端に固定される巻取りストッパー兼用握りとを含む。 
【発明の効果】
【０００５】
この発明では、そのスクリーンがそのシートの側方から操作されて引っ張られ、そのスクリーン巻取り装置から引き出され、また、そのスクリーン巻取り装置に巻き取られる際、そのスクリーンがそのシートのそのシート・クッションのその前部分のその下面に前後方向に揺動可能に吊り下げられるところのそのループ状スクリーン・ガイドによって案内されて捩れたり、引っ掛かったりせずに円滑に引き出され、また、円滑に巻き取られて収納され、そして、荷物がそのシート上に保持可能になる。 
【発明を実施するための最良の形態】
【０００６】
そのスクリーン巻取り装置が、そのシートのそのシート・クッションの横方向に伸長される巻取り軸あるいは細長い巻取りドラムを備え、そして、そのスクリーン・ガイドが、そのスクリーンを通す大きさでワイヤーから細長いループに折り曲げ加工され、そして、一対のハンガー・プレートでそのシート・クッションの前部分のその下面に前後方向に揺動可能に吊り下げられる。 
【実施例１】
【０００７】
以下、特定されて図示された具体例に基づいて、この発明のシートに用いる荷物保持具を説明するに、図１ないし図３は、乗用車の助手席４０に活用されるところのこの発明のシートに用いる荷物保持具の具体例１０を示し、そして、その助手席４０は、シート・トラック（図示せず）を組み込むシート・クッション４１、左右のリクライニング・デバイスでそのシート・クッション４１に前倒しおよび角度調整可能に支持されるシート・バック４２、およびそのシート・バック４２に取り外し可能に取り付けられるヘッドレスト４３で組み立てられ、そして、そのシート・トラックでその乗用車のボディ・フロア（図示せず）に前後調整可能に据え付けられる。 
【０００８】
その荷物保持具１０では、クッション・パネル１１が、所定の厚さの鋼板から所定の大きさの方形に切断されてそのシート・クッション４１の下面４５に固定され、また、スクリーン巻取り装置１２が、そのシート・クッション４１の横方向に巻取り軸２６を位置させてそのシート・クッション４１の前部分の下面４５に対応するそのクッション・パネル１１の前端寄り部分２０に取り付けられ、さらに、スクリーン１３が、その助手席４０のそのヘッドレスト４３の一対のステイ４４、４４に先端２７を止め可能にされ、そして、そのスクリーン巻取り装置１２のその巻取り軸２６に後端（図示せず）を止めてそのスクリーン巻取り装置１２に引出し可能に巻き取られ、またさらに、ループ状スクリーン・ガイド１４が、そのスクリーン巻取り装置１２から前に適宜に離れてそのシート・クッション４１のその前部分のその下面４５に対応するそのクッション・パネル１１の前端部分２１に前後方向に揺動可能に吊り下げられ、そして、そのスクリーン１３を通して案内し、さらには、巻取りストッパー兼用握り１５が、そのスクリーン１３のその先端２７に固定され、そして、そのループ状スクリーン・ガイド１４に当ってそのスクリーン１３の巻取りを止める。 
【０００９】
そのクッション・パネル１１は、全体的にはパン形に成形され、その前端寄り部分２０に細長い長方形窪み２２をパネル幅方向に伸長させて成形してその細長い長方形窪み２２にそのスクリーン巻取り装置１２のフレーム２５をはめ込んで取り付け可能にする。また、そのクッション・パネル１１は、その前端部分２１に左右の長穴２３、２３を打ち抜いてその左右の長穴２３、２３にそのループ状スクリーン・ガイド１４を吊り下げ可能にしている。勿論、その左右の長穴２３、２３はそれぞれ一対の切起し２４、２４を備え、そして、その切起し２４、２４および２４、２４がかしめられてそのループ状スクリーン・ガイド１４がその左右の長穴２３、２３および２３、２３に前後方向に揺動可能にはめ合わせられる。 
【００１０】
そのスクリーン巻取り装置１２は、そのフレーム２５、そのフレーム２５に回転可能に支持される巻取り軸２６、および巻取りスプリング（図示せず）などで組み立てられる。そして、そのスクリーン巻取り装置１２は、予めそのスクリーン１３がそれの後端でその巻取り軸２６に止められ、その巻取りスプリングでその巻取り軸２６に巻き戻し可能に巻き付けられて巻き取られているので、そのクッション・パネル１１のその細長い長方形窪み２２にそのフレーム２５をはめ込んでそのクッション・パネル１１に取り付けられる。 
【００１１】
そのスクリーン１３は、その先端に樹脂フック・プレート２８を接合し、そして、そのスクリーン巻取り装置１２から引き出されてその助手席４０のそのヘッドレスト４３のその一対のステイ４４、４４に掛け止め可能にされる。 
【００１２】
そのループ状スクリーン・ガイド１４は、そのスクリーン１３を通す細長い開口でワイヤーから折り曲げ加工されるワイヤー・ループ２９と、そのワイヤー・ループ２９を吊る一対のハンガー・プレート３０、３０とで組み立てられ、そして、そのクッション・パネル１１のその左右の長穴２３、２３にその左右のハンガー・プレート３０、３０を対応的にはめ合わせ、その左右の長穴２３、２３のその一対の切起し２４、２４および２４、２４をかしめ、その左右のハンガー・プレート３０、３０でその左右の長穴２３、２３に前後方向に揺動可能にはめ合わせられてそのシート・クッション４１のその前部分のその下面４５に前後方向に揺動可能に吊り下げられ、そして、そのスクリーン１３を通して引出し方向にも巻取り方向にも案内する。 
【００１３】
その巻取りストッパー兼用握り１５は、半割り樹脂棒３１、３１に成形され、ビス３２、３２でそのスクリーン１３のその先端２７のその樹脂フック・プレート２８に挟み止めされ、そして、そのスクリーン１３がそのスクリーン巻取り装置１２に巻き取られる際、そのワイヤー・ループ２９に当ってそのスクリーン１３の巻取りを止める。 
【００１４】
その荷物保持具１０を活用するところのその助手席４０において、４６はリクライニング・アジャスター・ノブ、そして、４７はリクライニング・カバーである。 
【００１５】
したがって、その乗用車で買い物に出掛け、買った品物がその助手席４０に乗せられて持ち帰る際、その荷物保持具１０では、そのスクリーン１３が運転席側からの操作でその巻取りストッパー兼用握り１５を掴んで引っ張られ、そのスクリーン巻取り装置１２から引き出されて伸ばされ、そして、その助手席４０上にその品物を覆い、そのヘッドレスト４３のその一対のステイ４４、４４にその樹脂フック・プレート２８を引っ掛けてその一対のステイ４４、４４に止められる。その乗用車が走行される際、その買った品物はそのスクリーン１３によって転がり落ちずにその助手席４０上に保持される。そのように、そのスクリーン１３がその助手席４０の側方からの操作されて引っ張られ、そのスクリーン巻取り装置１２から引き出され、また、そのスクリーン巻取り装置１２に巻き取られる際、そのスクリーン１３がその助手席４０のそのシート・クッション４１の前部分のその下面４５に前後方向に揺動可能に吊り下げられたところのそのループ状スクリーン・ガイド１４によって案内されて捩れたり、引っ掛かったりせずに円滑に引き出され、また、円滑に巻き取られて収納される。 
【００１６】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１７】
上述から理解されるように、この発明のシートに用いる荷物保持具は、シートのシート・クッションの横方向に巻取り軸を位置させてそのシート・クッションの前部分の下面に取り付けられるスクリーン巻取り装置と、先端がそのシートの適宜の箇所に固定可能にされ、後端がそのスクリーン巻取り装置のその巻取り軸に止められ、そして、そのスクリーン巻取り装置に引き出し可能に巻き取られるスクリーンと、そのスクリーン巻取り装置から前に適宜に離れてそのシート・クッションのその前部分のその下面に前後方向に揺動可能に吊り下げられ、そして、そのスクリーンを通すループ状スクリーン・ガイドと、そのスクリーンのその先端に固定される巻取りストッパー兼用握りとを含むので、この発明のシートに用いる荷物保持具では、そのスクリーンがそのシートの側方からの操作でも引っ張り可能になり、そのループ状スクリーン・ガイドに案内されて捩れたり、引っ掛かったりせずにそのスクリーン巻取り装置から円滑に引き出され、また、そのスクリーン巻取り装置に円滑に巻き取られ、そして、自動車が走行される際、荷物がそのスクリーンでそのシート上に固定されて転がり落ちずにそのシート上に保持され、その結果、自動車シートにとって非常に有用で実用的である。 
【図面の簡単な説明】
【００１８】
【図１】この発明のシートに用いる荷物保持具の具体例を活用するところの乗用車の助手席を下方から見て示した斜視図である。
【図２】その荷物保持具１０を分解して示した分解斜視図である。
【図３】その荷物保持具を示した概説断面図である。
【符号の説明】
【００１９】
１１  クッション・パネル 
１２  スクリーン巻取り装置 
１３  スクリーン 
１４  ループ状スクリーン・ガイド 
１５  巻取りストッパー兼用握り 
２０  前端寄り部分 
２１  前端部分 
２２  細長い長方形窪み 
２３  長穴 
２４  切起し 
２５  フレーム 
２６  巻取り軸 
２７  先端 
２８  樹脂フック・プレート 
２９  ワイヤー・ループ 
３０  ハンガー・プレート 
３１  半割り樹脂棒 
４０  助手席 
４１  シート・クッション 
４２  シート・バック 
４３  ヘッドレスト 
４４  ステイ 
４５  下面 
【図１】
2005334311.tif 000003
【図２】
2005334311.tif 000004
【図３】
2005334311.tif 000005